(57)【要約】【課題】本発明は、表示側ケースが操作側ケースに対して短手方向にスライドするとともに斜めに開けられるスライド式電子装置を提供することを目的とする。【解決手段】本発明に係るスライド式電子装置は、表示パネルが設置された表示側ケースと、キーボード部を有する操作側ケースと、少なくとも１つのリンク部材と、少なくとも１つの伸縮部材と、を備えている。前記リンク部材の両端及び前記伸縮部材の両端は、それぞれ前記表示側ケース及び前記操作側ケースに回転可能に締結される。前記伸縮部材は、相対的にスライドできるように係合し、且つ少なくとも２つの係止位置で位置決できる少なくとも２つのロッド部を含み、前記２つのロッド部によって前記伸縮部材を異なる係止位置に位置できるのと同時に、前記リンク部材は前記伸縮部材に連動して回転することから、前記表示側ケースの一端が前記操作側ケースに対して異なる傾斜角度に持ち上げられる。【選択図】図４
2011139420.tif 000002
【特許請求の範囲】
【請求項１】
表示パネルが設置された表示側ケースと、
キーボード部を有する操作側ケースと、
少なくとも１つのリンク部材と、
少なくとも１つの伸縮部材と、
を備えてなるスライド式電子装置であって、
前記リンク部材の両端及び前記伸縮部材の両端は、それぞれ前記表示側ケース及び前記操作側ケースに回転可能に締結され、前記伸縮部材は、相対的にスライド可能に係合し、且つ少なくとも２つの係止位置で位置決めできる少なくとも２つのロッド部を含み、前記２つのロッド部によって前記伸縮部材を異なる係止位置に位置決めするのと同時に、前記リンク部材は前記伸縮部材に連動されて回転することから、前記表示側ケースの一端が前記操作側ケースに対して異なる傾斜角度に持ち上げられることを特徴とする請求項１に記載のスライド式電子装置。
【請求項２】
前記操作側ケースの上面の両側には、前記操作側ケースの短手方向に沿ってそれぞれ第一収容溝が設けられ、前記表示側ケースの下面には各第一収容溝に対応して２つの第二収容溝が設けられ、前記リンク部材の一端は回転可能に前記第一収容溝に締結され、もう一端は対応する第二収容溝に回転可能に締結することを特徴とするスライド式電子装置。
【請求項３】
前記第一収容溝内には第一連結軸が設置され、前記第二収容溝内には第三連結軸が設置され、前記リンク部材の両端にはそれぞれ軸穴が設けられており、前記２つの軸穴にそれぞれ前記第一連結軸と第三連結軸とを通して設置することにより、前記リンク部材を前記第一連結軸と前記第三連結軸とに回転可能に締結することを特徴とする請求項２に記載のスライド式電子装置。
【請求項４】
前記第一収容溝内には第二連結軸が設置され、前記第二収容溝内には第四連結軸が設置され、前記伸縮部材の両端はそれぞれ前記第二連結軸と第四連結軸とに締結されることを特徴とする請求項２に記載のスライド式電子装置。
【請求項５】
前記第一連結軸と第二連結軸とが一定の間隔をあけて設置され、前記第三連結軸と第四連結軸とも一定の間隔をあけて設置され、前記第一連結軸、第二連結軸、第三連結軸及び第四連結軸はそれぞれ前記表示側ケースのスライド方向に直交して設置されることを特徴とする請求項４に記載のスライド式電子装置。
【請求項６】
前記伸縮部材は中空の円筒である第一ロッド部と第二ロッド部とを含み、前記第二ロッド部の直径のサイズが前記第一ロッド部の内径のサイズに等しく、前記第一ロッド部の筒壁の内表面上には、前記第一ロッド部の両端近傍に前記筒壁の外表面から凹む半球状の突起部がそれぞれ突出して形成され、前記第二ロッド部の両端近傍には前記突起部に係合するための凹陥部がそれぞれ形成されていることを特徴とする請求項１に記載のスライド式電子装置。
【発明の詳細な説明】
【技術分野】
【０００１】
本発明は、スライド式電子装置に関し、特に表示側ケースが操作側ケースに対して短手方向にスライドするとともに斜めに開けられるスライド式電子装置に関するものである。
【背景技術】
【０００２】
現在市販されている携帯電子装置は、一般的には、相対的に回転するかまたは相対的にスライドできる上筐体及び下筐体を含む。例えば、スライド式電子装置においては、前記上筐体を前記下筐体に対してスライドさせることができる。
【発明の概要】
【発明が解決しようとする課題】
【０００３】
従来のスライド式電子装置において、上筐体は下筐体の長手方向に沿って直線的にスライドするので、スクリーンの視角をキーボードに対して調整できないという欠点がある。その結果、ユーザーはスクリーンを見るために視線を上へ移動し、また、キーボードを見るために視線を下へ移動しなければならない。このような繰り返し動作は、ユーザーの首に負担をかける。
【０００４】
また、最近、通信技術の飛躍的な発展に伴い、携帯電子装置のデザインに対する要求も段々高くなり、前記携帯電子装置における上筐体と下筐体との間の開閉機構は、携帯電子装置のデザインに関する重要な要素になった。従来の折り畳み式や縦方向スライド式以外の新しい開閉機構を備えた携帯電子装置が望まれている。
【０００５】
以上の問題点に鑑みて、本発明の目的は、表示側ケースが操作側ケースに対して短手方向にスライドするとともに斜めに開けられるスライド式電子装置を提供することである。
【課題を解決するための手段】
【０００６】
前記問題を解決するために、本発明に係るスライド式電子装置は、表示パネルが設置された表示側ケースと、キーボード部を有する操作側ケースと、少なくとも１つのリンク部材と、少なくとも１つの伸縮部材と、を備える。前記リンク部材の両端及び前記伸縮部材の両端は、それぞれ前記表示側ケース及び前記操作側ケースに回転可能に締結される。前記伸縮部材は、相対的にスライドできるように係合し、且つ少なくとも２つの係止位置で位置決めできる少なくとも２つのロッド部を含み、前記２つのロッド部によって前記伸縮部材を異なる係止位置に位置決めできるのと同時に、前記リンク部材は前記伸縮部材に連動して回転することから、前記表示側ケースの一端は前記操作側ケースに対して異なる傾斜角度に持ち上げられる。
【発明の効果】
【０００７】
本発明に係るスライド式電子装置において、表示側ケースは操作側ケースに対して短手方向にスライドするとともに斜めに開くことができ、且つ必要とする角度に持ち上げられるから、ユーザーは前記表示側ケース２０の表示パネルに表示される情報を閲覧し易く、最もよい視覚効果を得られる。しかも、前記スライド式電子装置は、従来のスライドタイプとは異なる開閉機構を備えることから、デザイン性に富む。
【図面の簡単な説明】
【０００８】
【図１】本発明に係るスライド式電子装置の分解図である。
【図２】図１に示すスライド式電子装置の表示側ケースの背面図である。
【図３】図１に示すスライド式電子装置の伸縮部材の分解図である。
【図４】図１に示すスライド式電子装置が組み立てられた後の開いた状態での背面斜視図である。
【図５】図１に示すスライド式電子装置が組み立てられた後の開いた状態での正面斜視図である。
【図６】図１に示すスライド式電子装置が閉じられた状態での斜視図である。
【発明を実施するための形態】
【０００９】
以下、図面を参照しながら、本発明の実施形態に係るスライド式電子装置について詳細に説明する。
【００１０】
図１に示したように、本発明の実施形態に係るスライド式電子装置１００は、操作側ケース１０と、表示パネルを有する表示側ケース２０と、２つのリンク部材３０と、２つの伸縮部材４０と、を備える。
【００１１】
前記操作側ケース１０の前記表示側ケース２０に対面する上面において、前記操作側ケース１０の長手方向の片側方（長手方向に対する左右方向の一方側）には、キーボード部１２が設置されており、前記操作側ケース１０の短手方向の両側方（短手方向に対する左右両側）には、それぞれ矩形の凹状溝である第一収容溝１４が設けられている。各第一収容溝１４の前記キーボード部１２から離間する側には、前記第一収容溝１４の長手方向に直交する第一連結軸１４２と第二連結軸１４４とが互いに離間して設置される。前記第一連結軸１４２の両端及び前記第二連結軸１４４の両端は、それぞれ前記第一収容溝１４の長手の両側壁に至るように設置され、且つ前記第一連結軸１４２及び前記第二連結軸１４４を前記第一収容溝１４から取り外すことができる。前記第一連結軸１４２は、前記第二連結軸１４４よりも前記第一収容溝１４の端部に近い箇所に設置され、且つ前記第一連結軸１４２と前記第一収容溝１４の底面との間の距離は、前記第二連結軸１４４と前記第一収容溝１４の底面との間の距離よりやや大きく、前記第一連結軸１４２は、前記操作側ケース１０の上面に近接している。
【００１２】
図２を参照すると、前記表示側ケース２０の前記操作側ケース１０に対面する下面において、前記表示側ケース２０の短手方向の両側方には、前記操作側ケース１０の２つの第一収容溝１４に対応する２つの第二収容溝２４が設けられている。各第二収容溝２４には、前記第一収容溝１４の第一連結軸１４２及び第二連結軸１４４に対応する第三連結軸２４２及び第四連結軸２４４が互いに離間して設置される。前記第三連結軸２４２は、前記第四連結軸２４４よりも前記第二収容溝２４の端部に近い箇所に設置され、且つ前記第三連結軸２４２と前記第二収容溝２４の底面との距離は、前記第四連結軸２４４と前記第二収容溝２４の底面との距離よりやや大きく、前記第三連結軸は、前記表示側ケース２０の下面に近接している。
【００１３】
図４に示したように、前記リンク部材３０は、細長い矩形のロッドであり、その両端にはそれぞれ１つの軸穴３２が設けられている。前記操作側ケース１０の第一連結軸１４２及び前記表示側ケース２０の第三連結軸２４２を、別々に前記リンク部材３０の両端の２つの軸穴３２に貫通させて、前記リンク部材３０の両端をそれぞれ前記第一連結軸１４２及び第三連結軸２４２に回転可能に連結する。前記スライド式電子装置１００を閉じた後、前記リンク部材３０は、前記第一収容溝１４と第二収容溝２４とからなる収容空間内に収納される。
【００１４】
図３に示したように、前記伸縮部材４０は、第一ロッド部４２及び第二ロッド部４４を含む。前記第一ロッド部４２は筒壁で囲んで形成される中空の円筒であり、その上端に近い筒壁には第一貫通孔４２２が設けられている。前記表示側ケース２０の第四連結軸２４４を前記第一貫通孔４２２に貫通させて、前記伸縮部材４０の一端を前記第四連結軸２４４上に回転可能に連結する。前記第一ロッド部４２の両端に近い筒壁の内表面には、前記筒壁の外表面から凹ませて形成した２つの半球状の突起部４２４が形成される。
【００１５】
前記第二ロッド部４４は、円柱状をなし、且つその外径のサイズが前記第一ロッド部４２の内径のサイズにほぼ等しく前記第一ロッド部４２内でスライドできるように収納することができる。前記第二ロッド部４４の下端近傍の外周面には、第二貫通孔４４２が設けられている。前記操作側ケース１０の第二連結軸１４４を前記第二貫通孔４４２に貫通して、前記伸縮部材４０の他の一端を前記第二連結軸１４４に回転可能に連結する。前記第二ロッド部４４の両端近傍の外周面には、２つの半球状の凹陥部４４４が形成されている。前記２つの凹陥部４４４と、前記第一ロッド部４２の２つの突起部４２４と、を互いに係合することにより、前記第一ロッド部４２と第二ロッド部４４とを一体に連接して固定できる。
【００１６】
前記第一ロッド部４２の第一貫通孔４２２に隣接する突起部４２４が、前記第二ロッド部４４の第二貫通孔４４２から離間している凹陥部４４４に係合されると、前記第一ロッド部４２は前記第二ロッド部４４を被覆し、即ち前記伸縮部材４０の長さは最も短くなる。前記第一ロッド部４２の第一貫通孔４２２から離間している突起部４２４が、前記第二ロッド部４４の第二貫通孔４４２から離間している凹陥部４４４に係合されると、前記第二ロッド部４４の大部分は前記第一ロッド部４２の下端から露出して、即ち前記伸縮部材４０の長さは最も長くなる。前記伸縮部材４０を組み立てる場合、前記第二ロッド部４４の一端を前記第一ロッド部４２内に収納して、前記第一ロッド部４２の突起部４２４の１つを前記第二ロッド部４４の凹陥部４４４の１つに嵌め込めばよい。前記伸縮部材４０を便利に組み立てるために、前記突起部４２４を弾性的な材質で製作することが好ましい。
【００１７】
以下、図１ないし図４を参照しながら、本発明のスライド式電子装置１００の組立ステップを詳細に説明する。
【００１８】
まず、前記第一連結軸１４２及び前記第三連結軸２４２をそれぞれ前記第一収容溝１４及び第二収容溝２４から取り出してから、前記リンク部材３０の両端の軸穴３２にそれぞれ前記第一連結軸１４２及び第三連結軸２４２を貫通させて設置する。同様に前記第一収容溝１４及び前記第二収容溝２４から取り出した前記第二連結軸１４４及び前記第四連結軸２４４を前記伸縮部材４０の両端に位置する第一貫通孔４２２と第二貫通孔４４２とに貫通させる。次に、前記第一連結軸１４２及び前記第二連結軸１４４を前記第一収容溝１４内に設置し、前記第三連結軸２４２及び前記第四連結軸２４４を前記第二収容溝２４内に設置して、前記スライド式電子装置１００を一体的に組み立てる。この場合、前記リンク部材３０の一端は前記操作側ケース１０の第一連結軸１４２に締結され、前記リンク部材３０の他端は前記表示側ケース２０の第三連結軸２４２に締結される。前記伸縮部材４０の一端は前記操作側ケース１０の第二連結軸１４４に締結され、前記伸縮部材４０の他端は前記表示側ケース２０の第四連結軸２４４に締結される。前記リンク部材３０及び前記伸縮部材４０は略交差した状態で前記表示側ケース２０を支持している。前記スライド式電子装置１００を閉じた後、前記リンク部材３０及び前記伸縮部材４０は、前記第一収容溝１４と第二収容溝２４とが共同で構成する収容空間内に収納され、且つ略平行して前記収容空間の両側に位置する。
【００１９】
以下、図４、図５及び図６を参照しながら、前記スライド式電子装置１００の開閉時の作動原理を説明する。
【００２０】
前記スライド式電子装置１００を開ける場合、前記表示側ケース２０を前記操作側ケース１０の短手方向に沿って押すと、前記伸縮部材４０の第一ロッド部４２の突起部４２４が第二ロッド部４４の凹陥部４４４から滑り出て、前記第一ロッド部４２を前記第二ロッド４４から離脱する。続けて前記表示側ケース２０に外力を加えると、前記第一ロッド部４２と第二ロッド部４４とが相対的にスライドするとともに、前記伸縮部材４０は伸長し、その両端もそれぞれ前記表示側ケース２０及び前記操作側ケース１０に相対的に回転する。同時に、前記リンク部材３０は前記伸縮部材４０に連動して前記操作側ケース１０に相対的に回転する。前記過程において、前記表示側ケース２０の一端は、前記リンク部材３０及び前記伸縮部材４０に誘導されて前記操作側ケース１０に対して傾くように立ち上がるとともに、前記表示側ケース２０の他端は前記操作側ケース１０の上面に沿ってスライドする。前記伸縮部材４０が最も長く伸長され、且つ前記第一ロッド部４２と第二ロッド部４４とが再び互いに係止すると、前記表示側ケース２０の前記伸縮部材４０に支持される一端はさらに上昇することができなくなり、前記リンク部材３０も所定の角度まで回転する。この際、前記表示側ケース２０は操作側ケース１０に対して完全に開かれて、前記操作側ケース１０の上面のキーボード部１２を露出する。前記伸縮部材４０の前記表示側ケース２０に対する支持角度と前記リンク部材３０の前記表示側ケース２０に対する支持角度とは異なるから、前記表示側ケース２０が前記操作側ケース１０に対して最適な傾斜角度に保たれる。前記伸縮部材４０の第一ロッド部４２と第二ロッド４４とは互いに係合していることから、前記表示側ケース２０が前記操作側ケース１０に対して自然に閉じてしまうような不都合は起こらない。
【００２１】
前記表示側ケース２０を前記操作側ケース１０に対して閉じる場合、前記表示側ケース２０の前記操作側ケース１０に接触していない上端を下へ押すと、前記伸縮部材４０は圧縮されて、前記第二ロッド部４４は、前記第一ロッド部４２の内表面から突出する突起部４２４と前記第一ロッド部４２の筒壁の内表面との摩擦力を克服しながら前記第一ロッド部４２内に収納されるとともに、前記伸縮部材４０の両端はそれぞれ前記表示側ケース２０と前記操作側ケース１０に対して回転する。この際、前記リンク部材３０も連動して回転して前記操作側ケース１０に対する傾斜角度は徐々に小さくなり、前記表示側ケース２０の前記操作側ケース１０に当接する一端は前記操作側ケース１０の上面に沿ってスライドする。前記伸縮部材４０の第一ロッド部４２の第一貫通孔４２２に隣接する突起部４２４が、前記第二ロッド部４４の前記第二貫通孔４４２から離間する端の凹陥部４４４内に係合すると、前記伸縮部材４０は最も短くなって、前記リンク部材３０と一緒に、前記第一収容溝１４と前記第二収容溝２４とからなる収容空間内に収納される。この際、前記表示側ケース２０と前記操作側ケース１０とは重ね合った状態になる。
【００２２】
本発明のスライド式電子装置１００において、前記表示側ケース２０は前記操作側ケース１０に対して短手方向にスライドするとともに斜めに開かれ、且つ所定の角度に持ち上げられるから、ユーザーは前記表示側ケース２０の表示パネルに表示される情報を閲覧し易く、最もよい視覚効果を得られる。しかも、前記スライド式電子装置１００は、従来のスライドタイプとは異なる開閉機構を備えることから、デザイン性に富む。
【００２３】
前記伸縮部材４０は、複数のロッド部から順次に互いに係合して構成することができる。従って、前記伸縮部材４０には複数の係合部位が形成され、前記表示側ケース２０は前記操作側ケース１０に対して異なる傾斜角度に持ち上げられる。
【００２４】
前記伸縮部材４０が複数のロッド部を備える場合、各々のロッド部は中空の円錐台状であってよい。即ち各々のロッドの内径はその一端から他端に至るまで徐々に大きくなっている。この場合、互いに連結する２つのロッド部は端部の摩擦により係止すため、突起部及び凹陥部を形成しなくてもよい。
【００２５】
ただ１つの伸縮部材４０を設置してもよい。
【００２６】
前記２つのリンク部材３０の間に両者を連接する１つの板状体を設置して、全体で作動できる支持板機構を形成してもよい。
【００２７】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであることはいうまでもない。
【符号の説明】
【００２８】
１０      操作側ケース
１２      キーボード部
１４      第一収容溝
２０      表示側ケース
２２      表示パネル
２４      第二収容溝
３０      リンク部材
３２      軸穴
４０      伸縮部材
４２      第一ロッド部
４４      第二ロッド部
１００    入力ペン
１４２    第一連結軸
１４４    第二連結軸
２４２    第三連結軸
２４４    第四連結軸
４２２    第一貫通孔
４２４    突起部
４４２    第二貫通孔
４４４    凹陥部
【図１】
2011139420.tif 000003
【図２】
2011139420.tif 000004
【図３】
2011139420.tif 000005
【図４】
2011139420.tif 000006
【図５】
2011139420.tif 000007
【図６】
2011139420.tif 000008